(57)【要約】【課題】省電力を実現しつつ、キー操作を開始した直後から、表示部の視認性を維持することを目的とする。【解決手段】輝度の変更が可能な表示部と、前記表示部の周囲の照度の値を計測する照度計測部と、情報を入力する操作部と、前記照度計測部によって計測された前記表示部の周囲の照度の値が予め設定された範囲を超えると計時を開始し、前記計時を開始した後に、予め設定された一定時間内に前記操作部から情報の入力があった場合、前記計時をリセットして再開する時間計測部と、前記時間計測部で計時を開始してから前記予め設定された一定時間が経過すると、前記照度計測部によって計測された前記表示部の周囲の照度の値に応じて、前記表示部の輝度を変更する輝度変更部とを備える。【選択図】図４
2011109577.tif 000002
【特許請求の範囲】
【請求項１】
輝度の変更が可能な表示部と、
前記表示部の周囲の照度の値を計測する照度計測部と、
情報を入力する操作部と、
前記照度計測部によって計測された前記表示部の周囲の照度の値が予め設定された範囲を超えると計時を開始し、前記計時を開始した後に、予め設定された一定時間内に前記操作部から情報の入力があった場合、前記計時をリセットして再開する時間計測部と、
前記時間計測部で計時を開始してから前記予め設定された一定時間が経過すると、前記照度計測部によって計測された前記表示部の周囲の照度の値に応じて、前記表示部の輝度を変更する輝度変更部とを備える携帯端末。
【請求項２】
前記時間計測部は、前記計時を開始した後に、前記照度計測部によって計測された前記表示部の周囲の照度の値が前記予め設定された範囲にあれば、前記計時を停止することを特徴とする請求項１に記載の携帯端末。
【請求項３】
前記時間計測部は、前記予め設定された範囲を前記操作部から入力されることを特徴とする請求項１又は２に記載の携帯端末。
【請求項４】
前記時間計測部は、前記予め設定された一定時間を前記操作部から入力されることを特徴とする請求項１から３のいずれかに記載の携帯端末。
【請求項５】
前記時間計測部は、さらに、前記輝度を変更した後の周囲の照度の範囲を、前記予め設定された範囲として設定することを特徴とする請求項１から４のいずれかに記載の携帯端末。
【請求項６】
輝度の変更が可能な表示部と、
前記表示部の周囲の照度の値を計測する照度計測部と、
情報を入力する操作部と、
前記照度計測部によって計測された前記表示部の周囲の照度の値が予め設定された範囲を超えると計時を開始し、前記計時を開始した後に、予め設定された一定時間内に前記操作部から情報の入力があった場合、前記予め設定された範囲を拡張して新たな予め設定された範囲として設定し、前記照度の値が前記新たな予め設定された範囲を超えている場合には前記計時をリセットして再開し、前記照度の値が前記新たな予め設定された範囲を超えていない場合は前記計時を停止する範囲拡張部と、
前記範囲拡張部で計時を開始してから前記予め設定された一定時間が経過すると、前記照度計測部によって計測された前記表示部の周囲の照度の値に応じて、前記表示部の輝度を変更する輝度変更部とを備える携帯端末。
【請求項７】
前記範囲拡張部は、前記計時を開始した後に、前記照度計測部によって計測された前記表示部の周囲の照度の値が前記予め設定された範囲にあれば、前記計時を停止することを特徴とする請求項６に記載の携帯端末。
【請求項８】
前記範囲拡張部は、前記予め設定された範囲を前記操作部から入力されることを特徴とする請求項６又は７のいずれかに記載の携帯端末。
【請求項９】
前記範囲拡張部は、前記予め設定された一定時間を前記操作部から入力されることを特徴とする請求項６から８のいずれかに記載の携帯端末。
【請求項１０】
前記範囲拡張部は、さらに、前記輝度を変更した後の周囲の照度の範囲を、前記予め設定された範囲として設定することを特徴とする請求項６から９のいずれかに記載の携帯端末。
【請求項１１】
輝度の変更が可能な携帯端末の表示部の周囲の照度の値を測定し、前記測定した結果が予め設定された範囲内にあるか否か判定し、前記測定した結果が前記予め設定された範囲を超えていると、計時を開始する時間計測開始手順と、
予め設定された一定時間内の前記携帯端末の操作の有無を判定し、前記操作があると判定された場合、前記計時をリセットして本手順を再開し、前記操作がないと判定された場合、前記計時を継続する操作判定手順と、
前記計時の完了を判定し、前記計時が完了していない場合、前記操作判定手順に戻り、前記計時が完了している場合、前記周囲の照度の値に応じて、前記輝度を変更する計時完了判定手順とを順に有する携帯端末の制御方法。
【請求項１２】
前記計時の開始後、前記周囲の照度の値を測定し、前記測定した結果が前記予め設定された範囲内にあるか否か判定し、前記測定した結果が前記予め設定された範囲にある場合は、前記計時を停止して前記時間計測開始手順へ戻る時間計測停止手順を、前記操作判定手順における計時をリセットして再開する処理の後、前記操作判定手順の前に有することを特徴とする請求項１１に記載の携帯端末の制御方法。
【請求項１３】
輝度の変更が可能な携帯端末の表示部の周囲の照度の値を測定し、前記測定した結果が予め設定された範囲内にあるか否か判定し、前記測定した結果が前記予め設定された範囲を超えていると、計時を開始する時間計測開始手順と、
予め設定された一定時間内の前記携帯端末の操作の有無を判定し、前記操作があると判定された場合、前記予め設定された範囲を拡張して新たな予め設定された範囲として設定し、前記照度の値が前記新たな予め設定された範囲を超えている場合、前記計時をリセットして本手順を再開し、前記照度の値が前記新たな予め設定された範囲を超えていない場合、前記計時を停止して前記時間計測開始手順へ戻り、前記操作がないと判定された場合、前記計時を継続する操作判断手順と、
前記計時の完了を判定し、前記計時が完了していない場合、前記操作判断手順に戻り、前記計時が完了している場合、前記周囲の照度の値に応じて、前記輝度を変更する計時完了判定手順とを順に有する携帯端末の制御方法。
【請求項１４】
前記計時の開始後、前記周囲の照度の値を測定し、前記測定した結果が前記予め設定された範囲内にあるか否か判定し、前記測定した結果が前記予め設定された範囲にある場合は、前記計時を停止して前記時間計測開始手順へ戻る時間計測停止手順を、前記操作判断手順における計時をリセットして再開する処理の後、前記操作判断手順の前に有することを特徴とする請求項１３に記載の携帯端末の制御方法。
【請求項１５】
前記予め設定された範囲を入力する範囲設定手順を、前記時間計測開始手順の前に有することを特徴とする請求項１１から１４のいずれかに記載の携帯端末の制御方法。
【請求項１６】
前記予め設定された一定時間を入力する時間設定手順を、前記時間計測開始手順の前に有することを特徴とする請求項１１から１５のいずれかに記載の携帯端末の制御方法。
【請求項１７】
さらに、前記輝度を変更した後の周囲の照度の範囲を、前記予め設定された範囲として設定する照度範囲設定手順を、前記計時完了判定手順の後に有することを特徴とする請求項１１から１６のいずれかに記載の携帯端末の制御方法。
【請求項１８】
輝度の変更が可能な携帯端末の表示部の周囲の照度の値を測定し、前記測定した結果が予め設定された範囲内にあるか否か判定し、前記測定した結果が前記予め設定された範囲を超えていると、計時を開始する時間計測開始ステップと、
予め設定された一定時間内の前記携帯端末の操作の有無を判定し、前記操作があると判定された場合、前記計時をリセットして本ステップを再開し、前記操作がないと判定された場合、前記計時を継続する操作判定ステップと、
前記計時の完了を判定し、前記計時が完了していない場合、前記操作判定ステップに戻り、前記計時が完了している場合、前記周囲の照度の値に応じて、前記輝度を変更する計時完了判定ステップとを順に携帯端末に実行させる携帯端末の制御プログラム。
【請求項１９】
前記計時の開始後、前記周囲の照度の値を測定し、前記測定した結果が前記予め設定された範囲内にあるか否か判定し、前記測定した結果が前記予め設定された範囲にある場合は、前記計時を停止して前記時間計測開始ステップへ戻る時間計測停止ステップを、前記操作判定ステップにおける計時をリセットして再開する処理の後、前記操作判定ステップの前に有することを特徴とする請求項１８に記載の携帯端末に実行させる携帯端末の制御プログラム。
【請求項２０】
輝度の変更が可能な携帯端末の表示部の周囲の照度の値を測定し、前記測定した結果が予め設定された範囲内にあるか否か判定し、前記測定した結果が前記予め設定された範囲を超えていると、計時を開始する時間計測開始ステップと、
予め設定された一定時間内の前記携帯端末の操作の有無を判定し、前記操作があると判定された場合、前記予め設定された範囲を拡張して新たな予め設定された範囲として設定し、前記照度の値が前記新たな予め設定された範囲を超えている場合、前記計時をリセットして本ステップを再開し、前記照度の値が前記新たな予め設定された範囲を超えていない場合、前記計時を停止して前記時間計測開始ステップへ戻り、前記操作がないと判定された場合、前記計時を継続する操作判断ステップと、
前記計時の完了を判定し、前記計時が完了していない場合、前記操作判断ステップに戻り、前記計時が完了している場合、前記周囲の照度の値に応じて、前記輝度を変更する計時完了判定ステップとを順に携帯端末に実行させる携帯端末の制御プログラム。
【請求項２１】
前記計時の開始後、前記周囲の照度の値を測定し、前記測定した結果が前記予め設定された範囲内にあるか否か判定し、前記測定した結果が前記予め設定された範囲にある場合は、前記計時を停止して前記時間計測開始ステップへ戻る時間計測停止ステップを、前記操作判断ステップにおける計時をリセットして再開する処理の後、前記操作判断ステップの前に有することを特徴とする請求項２０に記載の携帯端末に実行させる携帯端末の制御プログラム。
【請求項２２】
前記予め設定された範囲を入力する範囲設定ステップを、前記時間計測開始ステップの前に有することを特徴とする請求項１８から２１のいずれかに記載の携帯端末に実行させる携帯端末の制御プログラム。
【請求項２３】
前記予め設定された一定時間を入力する時間設定ステップを、前記時間計測開始ステップの前に有することを特徴とする請求項１８から２２のいずれかに記載の携帯端末に実行させる携帯端末の制御プログラム。
【請求項２４】
さらに、前記輝度を変更した後の周囲の照度の範囲を、前記予め設定された範囲として設定する照度範囲設定ステップを、前記計時完了判定ステップの後に有することを特徴とする請求項１８から２３のいずれかに記載の携帯端末に実行させる携帯端末の制御プログラム。
【発明の詳細な説明】
【技術分野】
【０００１】
本発明は、携帯端末、携帯端末の制御方法及び携帯端末の制御プログラムに関する。
【背景技術】
【０００２】
携帯端末は高機能化する傾向にあり、消費電力も増加する傾向にある。このため、携帯端末の無操作時には、電力の供給を最小限に抑制する省電力動作が実行されるが、表示部の視認性は低下する。そこで、照度検出部を搭載して携帯端末の周囲の照度を検出し、検出した周囲の照度に応じて輝度変更部を制御して表示部の輝度を変更する技術が開示されている。この技術の一例が、特許文献１から３に記載されている。
【先行技術文献】
【特許文献】
【０００３】
【特許文献１】特開２００２−１１１８６４号公報
【特許文献２】特開２００２−２６１９２０号公報
【特許文献３】特開２００９−１２４２６６号公報
【発明の概要】
【発明が解決しようとする課題】
【０００４】
上述した特許文献１に示した発明では、キー操作を開始すると、一定期間の携帯端末の周囲の照度を検出し、検出した周囲の照度に応じた、表示部の輝度変更部の制御を行う。しかし、例えば、キー操作を開始してから輝度調整部が表示部の輝度の調整を始めると、作業中に表示部の輝度が変更されることになり、作業中の視認性を改善できないという問題点があった。
【０００５】
上述した特許文献２に示した発明では、キー操作を開始すると、一定の場所で一定時間以上作業しているか否かを判断し、一定の場所で一定時間以上作業していると判断した場合には表示部の輝度を制御する。しかし、例えば、キー操作を開始してから輝度調整部が表示部の輝度の調整を始めると、作業中に表示部の輝度が変更されることになり、作業中の視認性を改善できないという問題点があった。
【０００６】
上述した特許文献３に示した発明では、キー操作を開始すると、表示部の輝度を制御し、輝度の変更直後に表示部の輝度を変更しないように猶予時間を設けている。しかし、例えば、キー操作を開始してから輝度調整部が表示部の輝度の調整を始めると、作業中に表示部の輝度が変更されることになり、作業中の視認性を改善できないという問題点があった。
【０００７】
そこで、本発明の目的は、上述した課題である、省電力を実現しつつ、キー操作を開始した直後から、表示部の視認性を維持することができる携帯端末、携帯端末の制御方法、携帯端末の制御プログラムを提供することを目的とする。
【課題を解決するための手段】
【０００８】
上記目的を達成するために、本発明の携帯端末は、輝度の変更が可能な表示部と、前記表示部の周囲の照度の値を計測する照度計測部と、情報を入力する操作部と、前記照度計測部によって計測された前記表示部の周囲の照度の値が予め設定された範囲を超えると計時を開始し、前記計時を開始した後に、予め設定された一定時間内に前記操作部から情報の入力があった場合、前記計時をリセットして再開する時間計測部と、前記時間計測部で計時を開始してから前記予め設定された一定時間が経過すると、前記照度計測部によって計測された前記表示部の周囲の照度の値に応じて、前記表示部の輝度を変更する輝度変更部とを備える。
【０００９】
上記目的を達成するために、本発明の携帯端末の制御方法は、輝度の変更が可能な携帯端末の表示部の周囲の照度の値を測定し、前記測定した結果が予め設定された範囲内にあるか否か判定し、前記測定した結果が前記予め設定された範囲を超えていると、計時を開始する時間計測開始手順と、予め設定された一定時間内の前記携帯端末の操作の有無を判定し、前記操作があると判定された場合、前記計時をリセットして本手順を再開し、前記操作がないと判定された場合、前記計時を継続する操作判定手順と、前記計時の完了を判定し、前記計時が完了していない場合、前記操作判定手順に戻り、前記計時が完了している場合、前記周囲の照度の値に応じて、前記輝度を変更する計時完了判定手順とを順に有する。
【００１０】
上記目的を達成するために、本発明の携帯端末の制御プログラムは、輝度の変更が可能な携帯端末の表示部の周囲の照度の値を測定し、前記測定した結果が予め設定された範囲内にあるか否か判定し、前記測定した結果が前記予め設定された範囲を超えていると、計時を開始する時間計測開始ステップと、予め設定された一定時間内の前記携帯端末の操作の有無を判定し、前記操作があると判定された場合、前記計時をリセットして本ステップを再開し、前記操作がないと判定された場合、前記計時を継続する操作判定ステップと、前記計時の完了を判定し、前記計時が完了していない場合、前記操作判定ステップに戻り、前記計時が完了している場合、前記周囲の照度の値に応じて、前記輝度を変更する計時完了判定ステップとを順に携帯端末に実行させる。
【００１１】
なお、上記各発明は、可能な限り組み合わせることができる。
【発明の効果】
【００１２】
本発明によれば、省電力を実現しつつ、キー操作を開始した直後から、表示部の視認性を維持することができる。
【図面の簡単な説明】
【００１３】
【図１】本発明の携帯端末の構成を示すブロック図である。
【図２】本発明の携帯端末の構成を示すブロック図である。
【図３】本発明の携帯端末の構成の実施形態を示すブロック図である。
【図４】本発明の携帯端末の制御方法を示すフローチャートである。
【図５】本発明の携帯端末の制御方法の実施形態を示すフローチャートである。
【図６】本発明の携帯端末の制御方法の実施形態を示すフローチャートである。
【図７】本発明の携帯端末の制御方法の実施形態を示すフローチャートである。
【図８】従来の携帯端末の制御方法の具体例を示す図である。
【図９】本発明の携帯端末の制御方法の具体例を示す図である。
【図１０】本発明の携帯端末の制御方法の実施形態を示すフローチャートである。
【図１１】本発明の携帯端末の制御方法の実施形態を示すフローチャートである。
【図１２】本発明の携帯端末の制御方法の実施形態を示すフローチャートである。
【図１３】本発明の携帯端末の制御方法の実施形態を示すフローチャートである。
【図１４】本発明の携帯端末の制御方法の具体例を示す図である。
【図１５】本発明の携帯端末の制御プログラムを示すフローチャートである。
【図１６】本発明の携帯端末の制御プログラムの実施形態を示すフローチャートである。
【図１７】本発明の携帯端末の制御プログラムの実施形態を示すフローチャートである。
【図１８】本発明の携帯端末の制御プログラムの実施形態を示すフローチャートである。
【図１９】本発明の携帯端末の制御プログラムの実施形態を示すフローチャートである。
【図２０】本発明の携帯端末の制御プログラムの実施形態を示すフローチャートである。
【図２１】本発明の携帯端末の制御プログラムの実施形態を示すフローチャートである。
【図２２】本発明の携帯端末の制御プログラムの実施形態を示すフローチャートである。
【発明を実施するための形態】
【００１４】
添付の図面を参照して本発明の実施形態を説明する。以下に説明する実施形態は本発明の実施形態であり、本発明は、以下の実施形態に制限されるものではない。なお、本明細書及び図面において符号が同じ構成要素は、相互に同一のものを示すものとする。
【００１５】
まず、図１を参照して、本発明の携帯端末の構成を説明する。図１は、本発明の携帯端末の構成を説明するブロック図である。図１において、本発明の携帯端末は、輝度の変更が可能な表示部１０−１と、表示部１０−１の周囲の照度の値を計測する照度計測部１１−１と、情報を入力する操作部１２−１と、照度計測部１１−１によって計測された表示部１０−１の周囲の照度の値が予め設定された範囲を超えると計時を開始し、計時を開始した後に、予め設定された一定時間内に操作部１２−１から情報の入力があった場合、計時をリセットして再開する時間計測部１３−１と、時間計測部１３−１で計時を開始してから予め設定された一定時間が経過すると、照度計測部１１−１によって計測された表示部１０−１の周囲の照度の値に応じて、表示部１０−１の輝度を変更する輝度変更部１４−１とを備える。
【００１６】
具体的には、表示部１０−１は、携帯端末の使用者が携帯端末を操作した結果、又は、携帯端末の使用者が操作を行う上で必要となる情報を表示する。具体例は、バックライトで輝度を変更可能な液晶パネルである。照度計測部１１−１は、携帯端末の周囲の照度を計測する。照度計測部１１−１が設けられる場所は、携帯端末の利用者が直接視認する表示部１０−１の周囲である。具体例は、光の照度を検出する照度センサである。操作部１２−１は、携帯端末の使用者が、携帯端末に対して命令又は情報を入力するために用いる。具体例は、キーボード、又はポインティングデバイスである。時間計測部１３−１は、携帯端末の使用者、又は携帯端末の動作状況に応じて設定された時間を計時する。具体例は、計時開始から一定時間が経過したことを通知するタイマである。輝度変更部１４−１は、携帯端末の使用者、又は携帯端末の動作状況に応じて表示部１０−１の視認性を変化させるために用いる。具体例は、液晶パネルを照らすバックライトの制御装置である。
【００１７】
まず、照度計測部１１−１が、携帯端末の周囲の照度を一定の周期で検出する。携帯端末の使用者が、携帯端末の使用を開始する場合、携帯端末の周囲の照度の変化が検出される。例えば、携帯端末が省電力動作状態から通常動作状態へ移行した場合、またはその逆の状態が考えられる。この照度の変化を照度計測部１１−１が検出すると、時間計測部１３−１が予め定められた時間の計時を開始する。そして、計時を開始した後に再び照度計測部１１−１が、携帯端末の周囲の照度を測定し、携帯端末が異なる動作状態へ移行したことを確認する。計時中に操作部１２−１から情報の入力があった場合には、携帯端末が通常動作状態で使用中であると判断し、輝度変更部１４−１は通常動作状態の表示部１０−１の輝度を維持する。ここで、計時中に操作部１２−１からの情報入力が無く、かつ予め定められた時間の計時が完了した場合には、携帯端末が使用されていないと判断し、輝度変更部１４−１は表示部１０−１の輝度を下げ、省電力動作状態とする。
【００１８】
以上のように構成することで、省電力を実現しつつ、携帯端末の動作状態に関わらず、携帯端末のキーの操作を開始した直後から、表示部１０−１の視認性を維持することができ、キー操作の有無を把握して、確実に省電力動作を実行できる。
【００１９】
ここで、時間計測部１３−１は、計時を開始した後に、照度計測部１１−１によって計測された表示部１０−１の周囲の照度の値が予め設定された範囲にあれば、計時を停止してもよい。以上のように構成することで、携帯端末の動作状態は、通常状態から変化していないことを確認し、表示部１０−１の照度を維持することができる。
【００２０】
また、時間計測部１３−１は、予め設定された範囲を操作部１２−１から入力されてもよい。また、時間計測部１３−１は、予め設定された一定時間を操作部１２−１から入力されてもよい。以上のように構成することで、携帯端末の動作状態を確定する条件、又はキー操作の有無を判断する時間を、携帯端末の使用者が決定することができ、表示部１０−１の視認性を効率的に維持することができる。
【００２１】
時間計測部１３−１は、さらに、輝度を変更した後の周囲の照度の範囲を、予め設定された範囲として設定してもよい。以上のように構成することで、日常的に行われる携帯端末の動作状態の移行を、携帯端末の使用者が設定する手間を省くことができる。
【００２２】
次に、図２を参照して、本発明の携帯端末の構成を説明する。図２は、本発明の携帯端末の構成を説明するブロック図である。なお、図１で説明した要素については説明を省略する。具体的には、輝度の変更が可能な表示部１０−２と、表示部１０−２の周囲の照度の値を計測する照度計測部１１−２と、情報を入力する操作部１２−２と、照度計測部１１−２によって計測された表示部１０−２の周囲の照度の値が予め設定された範囲を超えると計時を開始し、計時を開始した後に、予め設定された一定時間内に操作部１２−２から情報の入力があった場合、予め設定された範囲を拡張して新たな予め設定された範囲として設定し、照度の値が新たな予め設定された範囲を超えている場合には計時をリセットして再開し、照度の値が新たな予め設定された範囲を超えていない場合は計時を停止する範囲拡張部１５−１と、範囲拡張部１５−１で計時を開始してから予め設定された一定時間が経過すると、照度計測部１１−２によって計測された表示部１０−２の周囲の照度の値に応じて、表示部１０−２の輝度を変更する輝度変更部１４−２とを備える。
【００２３】
範囲拡張部１５−１は、携帯端末の使用者、又は携帯端末の動作状況に応じて設定された時間を計時し、操作部１２−２からの情報の入力に応じて、予め定められた照度の範囲を拡張し、新たな照度の範囲として再設定する。そして、照度計測部１１−２が測定した照度の値が、再設定した照度の範囲を超えていた場合には、計時をリセットして改めて操作部１２−２からの情報の入力を待ち、その後、再設定した照度の範囲を超えていなかった場合には、計時を停止し、照度計測部１１−２へ照度を再測定する指示を行う。具体例は、計時開始から一定時間が経過したことを通知するタイマを備えたコンピュータである。
【００２４】
以上のように構成することで、省電力を実現しつつ、携帯端末の動作状態に関わらず、携帯端末のキーの操作を開始した直後から、表示部１０−２の視認性を維持することができ、キー操作の有無を把握して、確実に省電力動作を実行できる。また、日常的に行われる携帯端末の動作状態の移行を、携帯端末の使用者が設定する手間を省くことができる。
【００２５】
ここで、範囲拡張部１５−１は、計時を開始した後に、照度計測部１１−２によって計測された表示部１０−２の周囲の照度の値が予め設定された範囲にあれば、計時を停止してもよい。以上のように構成することで、携帯端末の動作状態は、通常状態から変化していないことを確認し、表示部１０−２の照度を維持することができる。
【００２６】
そして、範囲拡張部１５−１は、予め設定された範囲を操作部１２−２から入力されてもよい。また、範囲拡張部１５−１は、予め設定された一定時間を操作部１２−２から入力されてもよい。携帯端末の動作状態を確定する条件、又はキー操作の有無を判断する時間を、携帯端末の使用者が決定することができ、表示部１０−２の視認性を効率的に維持することができる。
【００２７】
範囲拡張部１５−１は、さらに、輝度を変更した後の周囲の照度の範囲を、予め設定された範囲として設定してもよい。以上のように構成することで、日常的に行われる携帯端末の動作状態の移行を、携帯端末の使用者が設定する手間を省くことができる。
【００２８】
次に、図３を参照して、本発明の携帯端末の実施形態の構成を説明する。図３は、本発明の携帯端末の実施形態の構成を説明するブロック図である。なお、すでに図１又は図２で説明した要素については説明を省略する。具体的には、表示部１０−３と、照度計測部１１−３と、操作部１２−３と、時間計測部１３−２と、範囲拡張部１５−２と、輝度変更部１４−３と、各部を仲介し、制御する制御部１６とを備える。制御部１６の具体例は、コンピュータである。範囲拡張部１５−２及び時間計測部１３−２は、制御部１６によって制御されて動作する。そして、範囲拡張部１５−２及び時間計測部１３−２は、携帯端末の使用者、又は動作状態に応じて選択される。
【００２９】
以上のように構成することで、省電力を実現しつつ、携帯端末の動作状態に関わらず、携帯端末のキーの操作を開始した直後から、表示部１０−３の視認性を維持することができ、キー操作の有無を把握して、確実に省電力動作を実行できる。また、日常的に行われる携帯端末の動作状態の移行を、携帯端末の使用者が設定する手間を省くことができる。そして、携帯端末の動作状態の移行を確定する条件、又は時間を、携帯端末の使用者が決定することができ、表示部１０−３の視認性を効率的に維持することができる。
【００３０】
次に、図４を参照して、本発明の携帯端末の動作について説明する。図４は、本発明の携帯端末の制御方法を示したフローチャートである。図４において、本発明の携帯端末の制御方法は、まず、時間計測開始手順Ｐ１０−１において、輝度の変更が可能な携帯端末の表示部の周囲の照度の値を測定し、測定した結果が予め設定された範囲内にあるか否か判定し、測定した結果が予め設定された範囲を超えていると、計時を開始する。次に、操作判定手順Ｐ１１−１において、予め設定された一定時間内の携帯端末の操作の有無を判定し、操作があると判定された場合、計時をリセットして操作判定手順Ｐ１１−１を再開し、操作がないと判定された場合、計時を継続する。そして、計時完了判定手順Ｐ１２−１において、計時の完了を判定し、計時が完了していない場合、操作判定手順Ｐ１１−１に戻り、計時が完了している場合、周囲の照度の値に応じて、輝度を変更する。
【００３１】
以上のような手順を順に実行することで、省電力を実現しつつ、携帯端末の動作状態に関わらず、携帯端末のキーの操作を開始した直後から、表示部の視認性を維持することができ、キー操作の有無を把握して、確実に省電力動作を実行できる。
【００３２】
次に、図５を参照して、本発明の携帯端末の動作の実施形態について説明する。図５は、本発明の携帯端末の制御方法を示したフローチャートである。なお、図４で説明した手順については説明を省略する。ここで、操作判定手順Ｐ１１−２における計時をリセットして再開する処理の後、操作判定手順Ｐ１１−２の前の時間計測停止手順Ｐ１３−１において、計時の開始後、周囲の照度の値を測定し、測定した結果が予め設定された範囲内にあるか否か判定し、測定した結果が予め設定された範囲にある場合は、計時を停止して時間計測開始手順Ｐ１０−２へ戻ってもよい。
【００３３】
以上のような手順を順に実行することで、携帯端末の動作状態は、通常状態から変化していないことを確認し、表示部の照度を維持することができる。
【００３４】
次に、図６を参照して、本発明の携帯端末の動作について説明する。図６は、本発明の携帯端末の制御方法を示したフローチャートである。なお、図４又は図５で説明した手順については説明を省略する。ここで、時間計測開始手順Ｐ１０−３の前の範囲設定手順Ｐ１５−１において、予め設定された範囲を入力してもよい。又は、時間計測開始手順Ｐ１０−３の前の時間設定手順Ｐ１４−１において、予め設定された一定時間を入力してもよい。なお、範囲設定手順Ｐ１５−１及び時間設定手順Ｐ１４−１は、実行の順序を問わない。以上のような手順を順に実行することで、携帯端末の動作状態を確定する条件、又はキー操作の有無を判断する時間を、携帯端末の使用者が決定することができ、表示部の視認性を効率的に維持することができる。
【００３５】
次に、図７を参照して、本発明の携帯端末の動作について説明する。図７は、本発明の携帯端末の制御方法を示したフローチャートである。なお、図４から図６で説明した手順については説明を省略する。ここで、さらに、計時完了判定手順Ｐ１２−４の後の照度範囲設定手順Ｐ１６−１において、輝度を変更した後の周囲の照度の範囲を、予め設定された範囲として設定してもよい。以上のような手順を順に実行することで、日常的に行われる携帯端末の動作状態の移行を、携帯端末の使用者が設定する手間を省くことができる。
【００３６】
以下に、本発明の携帯端末の制御方法の具体例と、従来の携帯端末の制御方法とを対比して説明する。まず、図８に、従来の携帯端末の制御方法の具体例を示す。図８（ａ）は、横軸を周囲の照度、縦軸をバックライトの輝度とした周囲の照度の変化に対するバックライトの輝度の変化を示す図である。図８（ａ）において、Ｘ１からＸ２の周囲の照度の範囲に対応するバックライトの輝度はＡ１である。同様にＸ２からＸ３の周囲の照度の範囲に対応するバックライトの輝度はＡ２、Ｘ３からＸ４の周囲の照度の範囲に対応するバックライトの輝度はＡ３、Ｘ４からＸ５の周囲の照度の範囲に対応するバックライトの輝度はＡ４である。そして、図８（ｂ）において、周囲の照度が明るくなると、Ｘ１からＸ２の範囲から、Ｘ２からＸ３の範囲へと変化し、バックライトの輝度はＡ１からＡ２へ明るくなる。逆に、周囲の照度が暗くなると、Ｘ２からＸ３の範囲から、Ｘ１からＸ２の範囲へと変化し、バックライトの輝度はＡ２からＡ１へ暗くなる。ここで、例えば、携帯端末を使用する環境において、周囲の照度Ｘ２を中心に上下していた場合、バックライトの輝度はＡ１とＡ２との間で頻繁に切り替わることになるため、表示部の視認性を劣化させてしまう。
【００３７】
次に、図９に本発明の携帯端末の制御方法の具体例を示す。図９（ａ）は、横軸を周囲の照度、縦軸をバックライトの輝度とした周囲の照度の変化に対するバックライトの輝度の変化を示す図である。まず、予め設定された周囲の照度の範囲とバックライトの輝度の関係は、Ｘ１からＸ２の範囲について、対応するバックライトの輝度はＡ１である。同様に、Ｘ２からＸ３の範囲に対応するバックライトの輝度はＡ２、Ｘ３からＸ４の範囲に対応するバックライトの輝度はＡ３、周囲の照度Ｘ４からＸ５に対応するバックライトの輝度はＡ４である。例えば、周囲の照度がＸ３より明るくなると、従来の携帯端末の制御方法では、バックライトの輝度はＡ３に切り替えられる。しかし、本発明の携帯端末の制御方法においては、キー操作を行うとキー操作を示す割り込みが発生するため、キーを操作中であることを把握し、視認性を確保するため、バックライトの輝度はＡ２を維持する。そして、キーの操作が終了した時点の周囲の照度をＸ４＋Ｙ’とすると、バックライトの輝度はＡ４に切り替えられる。同様に、周囲の照度がＸ３より暗くなった場合は、従来の携帯端末の制御方法では、バックライトの輝度はＡ１に切り替えられる。しかし、本発明の携帯端末の制御方法においては、キー操作を行うとキー操作を示す割り込みが発生するため、キーを操作中であることを把握し、視認性を確保するため、バックライトの輝度はＡ２を維持する。
【００３８】
次に、図９（ｂ）に周囲の照度及びバックライトの輝度と、周囲照度読み出しタイミング及びキー操作割り込みタイミングとのタイムチャートを示す。縦軸は、周囲の照度又はバックライトの輝度を示し、横軸は、予め設定された周囲の照度を読み出す周囲照度読み出しタイミング、キー操作割り込みタイミング、及び計時動作の状態を示している。ここで、Ｘ２からＸ３の周囲照度の範囲を予め設定された周囲の照度の範囲とする。例えば、Ｔ１の周囲の照度読み出しタイミングでは、周囲の照度はＸ２からＸ３の範囲であるため、バックライトの輝度はＡ２となる。Ｔ２の周囲の照度読み出しタイミングでは、周囲の照度は明るくなり、予め設定された範囲を超えて、Ｘ３からＸ４の範囲であるため、時間計測部が計時を開始する。ここで、キー操作を行うと割り込みが発生する。計時中にキー操作による割り込みが発生すると、時間計測部は計時をリセットし、計時を再開する。このように、キー操作中は計時は完了しないため、従来の携帯端末の制御方法では、バックライトの輝度をＡ３に切り替えられる。しかし、本発明の携帯端末の制御方法においては、キー操作を行うとキー操作を示す割り込みが発生するため、キーを操作中であることを把握し、視認性を確保するため、バックライトの輝度はＡ２を維持する。
【００３９】
そして、Ｔ４の周囲の照度読み出しタイミングでは、Ｔ１の周囲の照度読み出しタイミングと同様で、従来の携帯端末の制御方法では、バックライトの輝度をＡ３に切り替えられる。しかし、本発明の携帯端末の制御方法においては、キー操作を行うとキー操作を示す割り込みが発生するため、キーを操作中であることを把握し、視認性を確保するため、バックライトの輝度はＡ２を維持する。同時に、時間計測部が計時を開始する。この後、キー操作がない場合は、計時は完了する。同様の動作を繰り返し、Ｔ１０のタイミングでは、周囲の照度がさらに明るくなり、Ｘ４からＸ５であるため、バックライトの輝度はＡ４に切り替えられる。そして、周囲の照度Ｘ４からＸ５の範囲を、新たに予め設定された周囲の照度の範囲として設定する。
【００４０】
本発明の携帯端末の制御方法は、従来の携帯端末の制御方法と比較して、時間計測部が計時を行うことで、バックライトの輝度の切り替えについて、猶予を与えることができる。例えば、携帯端末を使用する環境において、周囲の照度Ｘ２を中心に上下していた場合、計時中の変化であるため、バックライトの輝度はＡ２を維持し、表示部の視認性を維持することができる。
【００４１】
次に、図１０を参照して、本発明の携帯端末の動作について説明する。図１０は、本発明の携帯端末の制御方法を示したフローチャートである。なお、図４から図７で説明した手順については説明を省略する。図１０において、本発明の携帯端末の制御方法は、まず、時間計測開始手順Ｐ１０−５において、輝度の変更が可能な携帯端末の表示部の周囲の照度の値を測定し、測定した結果が予め設定された範囲内にあるか否か判定し、測定した結果が予め設定された範囲を超えていると、計時を開始する。次に、操作判断手順Ｐ１７−１において、予め設定された一定時間内の携帯端末の操作の有無を判定し、操作があると判定された場合、予め設定された範囲を拡張して新たな予め設定された範囲として設定する。続いて、範囲判定手順Ｐ１８−１において、照度の値が新たな予め設定された範囲を超えている場合、計時をリセットして操作判断手順Ｐ１７−１を再開し、照度の値が新たな予め設定された範囲を超えていない場合、計時を停止して時間計測開始手順Ｐ１０−５へ戻り、操作がないと判定された場合、計時を継続する。そして、計時完了判定手順Ｐ１２−５において、計時の完了を判定し、計時が完了していない場合、操作判断手順Ｐ１７−１へ戻り、計時が完了している場合、周囲の照度の値に応じて、輝度を変更する。
【００４２】
以上のような手順を順に実行することで、省電力を実現しつつ、携帯端末の動作状態に関わらず、携帯端末のキーの操作を開始した直後から、表示部の視認性を維持することができ、キー操作の有無を把握して、確実に省電力動作を実行できる。また、日常的に行われる携帯端末の動作状態の移行を、携帯端末の使用者が設定する手間を省くことができる。
【００４３】
次に、図１１を参照して、本発明の携帯端末の動作の実施形態について説明する。図１１は、本発明の携帯端末の制御方法を示したフローチャートである。なお、図４から図１０で説明した手順については説明を省略する。ここで、操作判断手順Ｐ１７−２における計時をリセットして再開する処理の後、操作判断手順Ｐ１７−２の前の時間計測停止手順Ｐ１３−４において、計時の開始後、周囲の照度の値を測定し、測定した結果が予め設定された範囲内にあるか否か判定し、測定した結果が予め設定された範囲にある場合は、計時を停止して時間計測開始手順Ｐ１０−６へ戻ってもよい。以上のような手順を順に実行することで、携帯端末の動作状態は、通常状態から変化していないことを確認し、表示部の照度を維持することができる。
【００４４】
次に、図１２を参照して、本発明の携帯端末の動作について説明する。図１２は、本発明の携帯端末の制御方法を示したフローチャートである。なお、図４から図１１で説明した手順については説明を省略する。ここで、時間計測開始手順Ｐ１０−７の前の範囲設定手順Ｐ１５−３において、予め設定された範囲を入力してもよい。また、時間計測開始手順Ｐ１０−７の前の時間設定手順Ｐ１４−３において、予め設定された一定時間を入力してもよい。なお、範囲設定手順Ｐ１５−３及び時間設定手順Ｐ１４−３は、実行の順序を問わない。以上のような手順を順に実行することで、携帯端末の動作状態を確定する条件、又はキー操作の有無を判断する時間を、携帯端末の使用者が決定することができ、表示部の視認性を効率的に維持することができる。
【００４５】
次に、図１３を参照して、本発明の携帯端末の動作について説明する。図１３は、本発明の携帯端末の制御方法を示したフローチャートである。なお、図４から図１２で説明した手順については説明を省略する。ここで、さらに、計時完了判定手順Ｐ１２−８の後の照度範囲設定手順Ｐ１６−２において、輝度を変更した後の周囲の照度の範囲を、予め設定された範囲として設定してもよい。以上のような手順を順に実行することで、日常的に行われる携帯端末の動作状態の移行を、携帯端末の使用者が設定する手間を省くことができる。
【００４６】
以下に、本発明の携帯端末の制御方法の具体例と、図９に示した携帯端末の制御方法の具体例、及び従来の携帯端末の制御方法とを対比して説明する。図１４に、本発明の携帯端末の制御方法の具体例を示す。図１４（ａ）は、横軸を周囲の照度、縦軸をバックライトの輝度とした周囲の照度の変化に対するバックライトの輝度の変化を示す図である。図９の携帯端末の制御方法と異なる点は、周囲の照度が変化しても、キーの操作中であることを把握してバックライトの輝度を維持する代わりに、予め設定されていた周囲の照度の範囲を広げて再設定し、一つ上の明るさのバックライトの輝度に対応する周囲の照度の範囲と、一つ下の暗さのバックライトの輝度に対応する周囲の照度の範囲とを重複させる点である。例えば、周囲の照度の範囲とバックライトの輝度の関係は、制御開始時においては、図９（ａ）のように、一つのバックライトの輝度に対して一つの周囲の照度の範囲が対応している。しかし、制御を開始すると、周囲の照度の範囲は拡張され、図１４（ａ）に示すように、Ｘ０からＸ３について、対応するバックライトの輝度はＡ１となる。同様に、周囲の照度Ｘ１からＸ４に対応するバックライトの輝度はＡ２、周囲の照度Ｘ２からＸ５に対応するバックライトの輝度はＡ３、周囲の照度Ｘ３からＸ６に対応するバックライトの輝度はＡ４となる。
【００４７】
図１４（ｂ）に、周囲の照度及びバックライトの輝度と、周囲照度読み出しタイミングとのタイムチャートを示す。縦軸は周囲の照度又はバックライトの輝度、横軸は予め設定された周囲の照度を読み出す周囲照度読み出しタイミングである。Ｔ１の周囲の照度読み出しタイミングでは、周囲の照度はＸ１からＸ２の範囲であるため、バックライトの輝度はＡ１である。Ｔ２の周囲の照度読み出しタイミングでは、周囲の照度が明るくなり、Ｘ２からＸ３の範囲であるため、バックライトの輝度はＡ１を維持する。Ｔ３の周囲の照度読み出しタイミングでは、周囲の照度が暗くなり、Ｘ１からＸ２の範囲に戻っているため、バックライトの輝度はＡ１を維持する。Ｔ４の周囲の照度読み出しタイミングでは、周囲の照度が明るくなり、Ｘ３からＸ４の範囲であるため、バックライトの輝度はＡ３に明るくなる。Ｔ５の周囲の照度読み出しタイミングでは、周囲の照度がさらに明るくなり、Ｘ４からＸ５の範囲であるため、バックライトの輝度はＡ３に明るくなる。
【００４８】
従来の携帯端末の制御方法と異なる点は、バックライトの輝度を明るくする周囲の照度及びバックライトの輝度を暗くする周囲の照度が、一つの周囲の照度の範囲内に設定されていたが、本発明の携帯端末の制御方法では、バックライトの輝度を明るくする周囲の照度及びバックライトの輝度を暗くする周囲の照度が、異なる周囲の照度の範囲内に設定される点である。例えば、携帯端末を使用する環境において、周囲の照度Ｘ２を中心に上下していた場合、予め設定された照度の範囲は、Ｘ１からＸ３まで拡張されるため、バックライトの輝度はＡ２を維持し、表示部の視認性を維持することができる。
【００４９】
次に、図１５を参照して、本発明の携帯端末の制御プログラムについて説明する。図１５は、本発明の携帯端末に実行させる携帯端末の制御プログラムを示したフローチャートである。図１５において、本発明の携帯端末に実行させる携帯端末の制御プログラムは、まず、時間計測開始ステップＳ１０−１において、輝度の変更が可能な携帯端末の表示部の周囲の照度の値を測定し、測定した結果が予め設定された範囲内にあるか否か判定し、測定した結果が予め設定された範囲を超えていると、計時を開始する。次に、操作判定ステップＳ１１−１において、予め設定された一定時間内の携帯端末の操作の有無を判定し、操作があると判定された場合、計時をリセットして操作判定ステップＳ１１−１を再開し、操作がないと判定された場合、計時を継続する。そして、計時完了判定ステップＳ１２−１において、計時の完了を判定し、計時が完了していない場合、操作判定ステップＳ１１−１に戻り、計時が完了している場合、周囲の照度の値に応じて、輝度を変更する。
【００５０】
以上のようなステップを順に実行することで、省電力を実現しつつ、携帯端末の動作状態に関わらず、携帯端末のキーの操作を開始した直後から、表示部の視認性を維持することができ、キー操作の有無を把握して、確実に省電力動作を実行できる。
【００５１】
次に、図１６を参照して、本発明の携帯端末の制御プログラムの実施形態について説明する。図１６は、本発明の携帯端末に実行させる携帯端末の制御プログラムを示したフローチャートである。なお、図１５で説明したステップについては説明を省略する。ここで、操作判定ステップＳ１１−２における計時をリセットして再開する処理の後、操作判定ステップＳ１１−２の前の時間計測停止ステップＳ１３−１において、計時の開始後、周囲の照度の値を測定し、測定した結果が予め設定された範囲内にあるか否か判定し、測定した結果が予め設定された範囲にある場合は、計時を停止して時間計測開始ステップＳ１０−２へ戻ってもよい。
【００５２】
以上のようなステップを順に実行することで、携帯端末の動作状態は、通常状態から変化していないことを確認し、表示部の照度を維持することができる。
【００５３】
次に、図１７を参照して、本発明の携帯端末の制御プログラムについて説明する。図１７は、本発明の携帯端末に実行させる携帯端末の制御プログラムを示したフローチャートである。なお、図１５又は図１６で説明したステップについては説明を省略する。ここで、時間計測開始ステップＳ１０−３の前の範囲設定ステップＳ１５−１において、予め設定された範囲を入力してもよい。又は、時間計測開始ステップＳ１０−３の前の時間設定ステップＳ１４−１において、予め設定された一定時間を入力してもよい。なお、範囲設定ステップＳ１５−１及び時間設定ステップＳ１４−１は、実行の順序を問わない。以上のようなステップを順に実行することで、携帯端末の動作状態を確定する条件、又はキー操作の有無を判断する時間を、携帯端末の使用者が決定することができ、表示部の視認性を効率的に維持することができる。
【００５４】
次に、図１８を参照して、本発明の携帯端末の制御プログラムについて説明する。図１８は、本発明の携帯端末に実行させる携帯端末の制御プログラムを示したフローチャートである。なお、図１５から図１７で説明したステップについては説明を省略する。ここで、さらに、計時完了判定ステップＳ１２−４の後の照度範囲設定ステップＳ１６−１において、輝度を変更した後の周囲の照度の範囲を、予め設定された範囲として設定してもよい。以上のようなステップを順に実行することで、日常的に行われる携帯端末の動作状態の移行を、携帯端末の使用者が設定する手間を省くことができる。
【００５５】
次に、図１９を参照して、本発明の携帯端末の制御プログラムについて説明する。図１９は、本発明の携帯端末に実行させる携帯端末の制御プログラムを示したフローチャートである。なお、図１５から図１８で説明したステップについては説明を省略する。図１９において、本発明の携帯端末に実行させる携帯端末の制御プログラムは、まず、時間計測開始ステップＳ１０−５において、輝度の変更が可能な携帯端末の表示部の周囲の照度の値を測定し、測定した結果が予め設定された範囲内にあるか否か判定し、測定した結果が予め設定された範囲を超えていると、計時を開始する。次に、操作判断ステップＳ１７−１において、予め設定された一定時間内の携帯端末の操作の有無を判定し、操作があると判定された場合、予め設定された範囲を拡張して新たな予め設定された範囲として設定する。続いて、範囲判定ステップＳ１８−１において、照度の値が新たな予め設定された範囲を超えている場合、計時をリセットして操作判断ステップＳ１７−１を再開し、照度の値が新たな予め設定された範囲を超えていない場合、計時を停止して時間計測開始ステップＳ１０−５へ戻り、操作がないと判定された場合、計時を継続する。そして、計時完了判定ステップＳ１２−５において、計時の完了を判定し、計時が完了していない場合、操作判断ステップＳ１７−１へ戻り、計時が完了している場合、周囲の照度の値に応じて、輝度を変更する。
【００５６】
以上のようなステップを順に実行することで、省電力を実現しつつ、携帯端末のキーの操作を開始した直後から、表示部の視認性を維持することができ、キー操作の有無を把握して、確実に省電力動作を実行できる。また、日常的に行われる携帯端末の動作状態の移行を、携帯端末の使用者が設定する手間を省くことができる。
【００５７】
次に、図２０を参照して、本発明の携帯端末の制御プログラムの実施形態について説明する。図２０は、本発明の携帯端末に実行させる携帯端末の制御プログラムを示したフローチャートである。なお、図１５から図１９で説明したステップについては説明を省略する。ここで、操作判断ステップＳ１７−２における計時をリセットして再開する処理の後、操作判断ステップＳ１７−２の前の時間計測停止ステップＳ１３−４において、計時の開始後、周囲の照度の値を測定し、測定した結果が予め設定された範囲内にあるか否か判定し、測定した結果が予め設定された範囲にある場合は、計時を停止して時間計測開始ステップＳ１０−６へ戻ってもよい。以上のようなステップを順に実行することで、携帯端末の動作状態は、通常状態から変化していないことを確認し、表示部の照度を維持することができる。
【００５８】
次に、図２１を参照して、本発明の携帯端末の制御プログラムについて説明する。図２１は、本発明の携帯端末に実行させる携帯端末の制御プログラムを示したフローチャートである。なお、図１５から図２０で説明したステップについては説明を省略する。ここで、時間計測開始ステップＳ１０−７の前の範囲設定ステップＳ１５−３において、予め設定された範囲を入力してもよい。また、時間計測開始ステップＳ１０−７の前の時間設定ステップＳ１４−３において、予め設定された一定時間を入力してもよい。なお、範囲設定ステップＳ１５−３及び時間設定ステップＳ１４−３は、実行の順序を問わない。以上のようなステップを順に実行することで、携帯端末の動作状態を確定する条件、又はキー操作の有無を判断する時間を、携帯端末の使用者が決定することができ、表示部の視認性を効率的に維持することができる。
【００５９】
次に、図２２を参照して、本発明の携帯端末の制御プログラムについて説明する。図２２は、本発明の携帯端末に実行させる携帯端末の制御プログラムを示したフローチャートである。なお、図１５から図２１で説明したステップについては説明を省略する。ここで、さらに、計時完了判定ステップＳ１２−８の後の照度範囲設定ステップＳ１６−２において、輝度を変更した後の周囲の照度の範囲を、予め設定された範囲として設定してもよい。以上のようなステップを順に実行することで、日常的に行われる携帯端末の動作状態の移行を、携帯端末の使用者が設定する手間を省くことができる。
【符号の説明】
【００６０】
１０−１，１０−２，１０−３：表示部
１１−１，１１−２，１１−３：照度計測部
１２−１，１２−２，１２−３：操作部
１３−１，１３−２：時間計測部
１４−１，１４−２，１４−３：輝度変更部
１５−１，１５−２：範囲拡張部
１６：制御部
Ｐ１０−１，Ｐ１０−２，Ｐ１０−３，Ｐ１０−４，Ｐ１０−５，Ｐ１０−６，Ｐ１０−７，Ｐ１０−８：時間計測開始手順
Ｐ１１−１，Ｐ１１−２，Ｐ１１−３，Ｐ１１−４：操作判定手順
Ｐ１２−１，Ｐ１２−２，Ｐ１２−３，Ｐ１２−４，Ｐ１２−５，Ｐ１２−６，Ｐ１２−７，Ｐ１２−８：計時完了判定手順
Ｐ１３−１，Ｐ１３−２，Ｐ１３−３，Ｐ１３−４，Ｐ１３−５，Ｐ１３−６：時間計測停止手順
Ｐ１４−１，Ｐ１４−２，Ｐ１４−３，Ｐ１４−４：時間設定手順
Ｐ１５−１，Ｐ１５−２，Ｐ１５−３，Ｐ１５−４：範囲設定手順
Ｐ１６−１，Ｐ１６−２：照度範囲設定手順
Ｐ１７−１，Ｐ１７−２，Ｐ１７−３，Ｐ１７−４：操作判断手順
Ｐ１８−１，Ｐ１８−２，Ｐ１８−３，Ｐ１８−４：範囲判定手順
Ｓ１０−１，Ｓ１０−２，Ｓ１０−３，Ｓ１０−４，Ｓ１０−５，Ｓ１０−６，Ｓ１０−７，Ｓ１０−８：時間計測開始ステップ
Ｓ１１−１，Ｓ１１−２，Ｓ１１−３，Ｓ１１−４：操作判定ステップ
Ｓ１２−１，Ｓ１２−２，Ｓ１２−３，Ｓ１２−４，Ｓ１２−５，Ｓ１２−６，Ｓ１２−７，Ｓ１２−８：計時完了判定ステップ
Ｓ１３−１，Ｓ１３−２，Ｓ１３−３，Ｓ１３−４，Ｓ１３−５，Ｓ１３−６：時間計測停止ステップ
Ｓ１４−１，Ｓ１４−２，Ｓ１４−３，Ｓ１４−４：時間設定ステップ
Ｓ１５−１，Ｓ１５−２，Ｓ１５−３，Ｓ１５−４：範囲設定ステップ
Ｓ１６−１，Ｓ１６−２：照度範囲設定ステップ
Ｓ１７−１，Ｓ１７−２，Ｓ１７−３，Ｓ１７−４：操作判断ステップ
Ｓ１８−１，Ｓ１８−２，Ｓ１８−３，Ｓ１８−４：範囲判定ステップ
【図１】
2011109577.tif 000003
【図２】
2011109577.tif 000004
【図３】
2011109577.tif 000005
【図４】
2011109577.tif 000006
【図５】
2011109577.tif 000007
【図６】
2011109577.tif 000008
【図７】
2011109577.tif 000009
【図８】
2011109577.tif 000010
【図９】
2011109577.tif 000011
【図１０】
2011109577.tif 000012
【図１１】
2011109577.tif 000013
【図１２】
2011109577.tif 000014
【図１３】
2011109577.tif 000015
【図１４】
2011109577.tif 000016
【図１５】
2011109577.tif 000017
【図１６】
2011109577.tif 000018
【図１７】
2011109577.tif 000019
【図１８】
2011109577.tif 000020
【図１９】
2011109577.tif 000021
【図２０】
2011109577.tif 000022
【図２１】
2011109577.tif 000023
【図２２】
2011109577.tif 000024